(57)【要約】      （修正有）【課題】二重殺菌機能を持つ冷温水機を提供する。【解決手段】水タンク１００から出水される水が殺菌部材３００の内部に流入、通過しながら１次殺菌され、殺菌された水が、水タンク１００に再還元されるように連結された、第１誘導管７００と、冷水タンク２２０に貯蔵された水が、殺菌部材３００内部に流入、通過しながら２次除菌され、殺菌された水が、冷水タンク２２０に再び還元されるように連結された、第２誘導管８００を持つ。【選択図】図１
2017109793.tif 000002
【特許請求の範囲】
【請求項１】
本体上部に結合される水タンク（１００）からガイド（２１０）を介して出水される水が一時貯蔵される冷水タンク（２２０）と、冷水タンク（２２０）の内部に設置して保存されている水が溢れないように設置されているボールタップ部材（４００）と、前記冷水タンク（２２０）から出水して、ヒータによって温水が一時貯蔵される温水タンク（２３０）と、前記温水タンク（２３０）と冷水タンク（２２０）の水が外部に取り出されることを断続するコックバルブ（５００）とで構成された冷温水機（２００）において、
上記冷温水機（２００）内部の所定の位置に設置され、殺菌機能を有する殺菌部材（３００）と；
上記水タンク（１００）からガイド（２１０）を介して出水される水が殺菌部材（３００）の内部に流入、通過しながら１次殺菌され、殺菌された水は、水タンク（１００）に再還元されるように、前記ガイド（２１０）に連結された第１誘導管（７００）と；
上記冷水タンク（２２０）に貯蔵された水は、殺菌部材（３００）内部に流入、通過しながら２次除菌され、殺菌された水は、冷水タンク（２２０）に再び還元されるように冷水タンク（２２０）に連結された第２誘導管（８００）と；
前記第１誘導管（７００）と第２誘導管（８００）には、水が任意に設定された時間に、任意の設定された流水量を水タンク（１００）と冷水タンク（２２０）に循環させるために設けられた中間バルブ（６１０）とタイマー（６２０）と循環ポンプ（６３０）と；
上記ボールタップ部材（４００）の所定の位置に連結棒（４１０）で連結されて冷水タンク（２２０）の貯蔵された水が水位の変動によって、上記ボールタップ部材（４００）の上下移動にガイド（２１０）に形成されたエア通路（  ２１１）が開閉されるようにするエア遮断部材（９００）と；
を含み、上記殺菌部材（３００）の内部に位置する第１、２誘導管（７００）（８００）は、それぞれ螺旋形からなることを特徴とする二重滅菌機能を持つ冷温水機。
【請求項２】
第１項において、上記ガイド（２１０）は、中央部に水タンク（１００）から冷水タンク（２２０）に出水されるように長さ方向に形成された第１出水通路（２１２）と、前記第１出水通路（２１２）の一側には、長さ方向に形成されて殺菌部材（３００）の方向に出水される第２出水通路（２１３）と、前記第１出水通路（２１２）の他側には、長さ方向に形成されて殺菌部材（３００）で殺菌された水が水タンク（１００）内部に還元されるように形成された入水経路（２１４）と、
前記第１、２出水通路（２１２）（２１３）と入水通路（２１４）を覆うように設けられ、空気が水タンク（１００）に流入されるリング状のエア通路（２１１）を含んで設けられていることを特徴とする二重滅菌機能を持つ冷温水機。
【請求項３】
第１項において、前記殺菌部材（３００）は、ハウジング（３１０）と、前記ハウジング（３１０）の内部に設置されている殺菌用ランプ（３２０）に設けられるが、上記殺菌用ランプ（３２０）は、オゾンランプまたはＵＶランプで設けられていることを特徴とする二重殺菌機能を持つ冷温水機。
【請求項４】
第１項において、前記ボールタップ部材（４００）の所定の位置に連結棒（４１０）の一端部を連結し、上記連結棒（４１０）の他端部には、前記エア通路（２１１）を遮断することができるエア遮断部材（９００）が連結されて前記ボールタップ部材（４００）の上下作用によりエア通路（２１１）が開閉されるようにすることを特徴とする二重殺菌機能を持つ冷温水機。
【発明の詳細な説明】
【技術分野】
【０００１】
本発明は、二重殺菌機能を持つ冷温水機に関するもので、より詳細には、冷水タンクと水タンク内にある水が、それぞれ殺菌部材の内部を通過して殺菌され、殺菌された水は、再び冷水タンクと水タンク内にそれぞれ還元されるものであって、冷水タンク内の水と水タンク内の水が二重殺菌されるので、消費者に安全な飲み水を供給するようにする二重殺菌機能を持つ冷温水機に関するものである。
【背景技術】
【０００２】
最近になって急激な産業の発達により、環境汚染がひどくなっているのが実情であり、この中でも、水質汚染は深刻なレベルに達し、家庭でも官公庁など大半のところでは、水を浄水処理して飲料水として飲んでいるのが実情である。
【０００３】
水を浄水処理する装置で浄水器やミネラルウォーターを使用する冷温水機が主に使われているが、冷温水機は、広い意味では、水を加熱したり冷却して、冷水及び温水として供給する装置を意味し、狭い意味では、水タンクに貯蔵されている水の供給を受け、水を加熱したり冷却して、冷水及び温水として供給する装置を意味する。
【０００４】
こうした冷温水機は、冷水と温水をそれぞれ分離して貯蔵できるように、冷水タンク及び温水タンクがそれぞれ別々に備えられ、冷水タンクには水を冷却させるための冷却装置が設けられ、温水タンクには水を加熱させるための加熱装置が設けられている。
【０００５】
こうした冷温水機で生成された温水と冷水をユーザーに供給することになるが、ユーザーが水を摂取するためにコックバルブを操作する場合、外部から空気が流入しない場合、冷水タンク内部の真空度が上昇して出水が不可能な場合が発生するので、必然的に排出された水の分の空気が外部から流入するが、空気が流入することによって、微細な埃や埃に混じっている不純物と菌も上記の水タンクや飲用水冷水タンクに流入する。
【０００６】
上記流入した菌は、適切な温度に応じて幾何級数的に培養される場合もあるので、場合によっては極めて非衛生的な飲料水に変化し、冷水タンク内部に殺菌装置を備えた場合であっても、実際の飲用時には、汚染された飲用水を飲用する場合が多いという問題点がある。
【０００７】
また、冷水タンクに貯蔵された水を殺菌するために、冷水タンクに設置されたＵＶ殺菌ランプは、冷水タンクの水が満水状態になる前には動作しないため、満水状態でコックバルブを操作する場合、ＵＶ殺菌ランプによって殺菌されない水が、ユーザーに供給される問題点がある。
【０００８】
一方、冷温水機の使用中にボールタップが設置された冷水タンクから水が溢れる場合が頻繁に発生するようになって、周辺の床を汚染させる問題点があった。
【発明の概要】
【発明が解決しようとする課題】
【０００９】
本発明は、上記のような問題点を勘案して案出されたもので、水タンク内に貯蔵された水と冷水タンクに貯蔵された水を、任意の時間と流速を調節すると同時に、独立して、循環されるようにしながら殺菌して、ユーザーに、より清潔な水を供給することができようにするとともに、冷水タンクに貯蔵された水が外部に溢れないようにするボールタップ部材とともにエア遮断部材を設置した二重殺菌機能を有する冷温水機を提供することにその目的がある。
【課題を解決するための手段】
【００１０】
上記目的を達成するための本発明に係る二重殺菌機能を持つ冷温水機（２００）は、本体上部に結合される水タンク（１００）からガイド（２１０）を介して出水される水が一時貯蔵される冷水タンク（２２０）と、冷水タンク（２２０）内部に設置して貯蔵される水が溢れないように設置されるボールタップ部材（４００）と、上記冷水タンク（２２０）から出水してヒータによって温水が一時貯蔵される温水タンク（２３０）と、前記温水タンク（２３０）と冷水タンク（２２０）の水が外部に取り出されることを断続するコックバルブ（５００）とで構成された冷温水機（２００）において、
【００１１】
上記の冷温水機（２００）内部の所定の位置に設置されている殺菌機能を有する殺菌部材（３００）と；
上記水タンク（１００）からガイド（２１０）を介して出水される水が殺菌部材（３００）の内部に流入、通過して１次殺菌され、殺菌された水は、水タンク（１００）に再還元されるように、前記ガイド（２１０）に連結された第１誘導管（７００）と；、
上記冷水タンク（２２０）に貯蔵された水は、殺菌部材（３００）内部に流入、通過しながら２次除菌され、殺菌された水は、冷水タンク（２２０）に再び還元されるように冷水タンク（２２０）に連結された第２誘導管（８００）と；
前記第１誘導管（７００）と第２誘導管（８００）には、水が任意に設定された時間に、任意の設定された流水量を水タンク（１００）と冷水タンク（２２０）に循環させるために設けられた中間バルブ（６１０）とタイマー（６２０）と循環ポンプ（６３０）と；
上記ボールタップ部材（４００）の所定の位置に連結棒（４１０）で連結されて冷水タンク（２２０）の貯蔵された水が水位の変動によって、上記ボールタップ部材（４００）の上下移動でガイド（２１０）に形成されたエア通路（２１１）が開閉されるようにするエア遮断部材（９００）；を含み、上記殺菌部材（３００）内部に位置する第１、２誘導管（７００）（８００）は、それぞれ螺旋形からなることを特徴とする。
【００１２】
また、上記ガイド（２１０）は、中央部に水タンク（１００）から冷水タンク（２２０）に出水されるように長さ方向に形成された第１出水通路（２１２）と、上記第１出水通路（２１２）の一側には、長さ方向に形成されて殺菌部材（３００）の方向に出水される第２出水通路（２１３）と、上記第１出水通路（２１２）他側には、縦方向に形成されて殺菌部材（３００）で殺菌された水が水タンク（１００）内部に還元されるように形成された入水経路（２１４）と、
上記第１、２出水通路（２１２）（２１３）と入水通路（２１４）を覆うように設けられ、空気が水タンク（１００）に流入されるリング状のエア通路（２１１）を含んで設けられることもある。
【００１３】
また、上記殺菌部材（３００）は、ステンレス製のハウジング（３１０）と、前記ハウジング（３１０）の内部に設置されている殺菌ランプ（３２０）で用意されることもある。
【００１４】
殺菌用ランプ（３２０）は、オゾンランプまたはＵＶランプで用意されることもある。
【００１５】
また、上記ボールタップ部材（４００）の所定の位置に連結棒（４１０）の一端部を連結し、上記連結棒（４１０）の他端部には、前記エア通路（２１１）を遮断することができるエア遮断部材（９００）が連結され、前記ボールタップの上下作用によりエア通路（２１１）が開閉されるようにすることもできる。
【発明の効果】
【００１６】
上記のような構成からなる本発明は、
まず、ＵＶ殺菌ランプ（紫外線流水殺菌）で冷水タンクと水タンクをそれぞれ独立して循環殺菌するので二重殺菌効果があり、消費者がより清潔で衛生的な飲料水を摂取することができ、
第二に、ＵＶ殺菌ランプが引き込まれた殺菌部材の内部に設けられた第１、２誘導管を螺旋状に備えることで、紫外線を浴びる時間が増えるので、殺菌力を高めることができ、
第三に、水タンクで出水される水が冷水タンクに所定水位に達すると、ボールタップ部材とエア遮断部材が同時に動作してエア通路と第１出水通路を同時に遮断することで冷水タンクに流入される水が溢れないように安全に遮断する効果があり、
第四に、水タンクと冷水タンクにそれぞれ連結された第１誘導管と第２誘導管の任意の位置にタイマーと循環ポンプおよび中間バルブを設置することで、それぞれ独立して殺菌時間と流量による殺菌速度を調整することができる効果がある。
【図面の簡単な説明】
【００１７】
【図１】図１は、本発明の実施形態に係る冷温水機の概略的な構成図である。
【図２】図２は、図１の「イ」の部分拡大図である。
【図３】図３は、本発明に係るエア遮断部材を底部から見た拡大図である。
【図４】図４は、図２の「Ａ−Ａ」線の断面図である。
【図５】図５は、本発明に係る動作図である。
【図６】図６は、本発明に係る動作図である。
【発明を実施するための形態】
【００１８】
以下、添付された図面を参照して、本発明の望ましい実施形態に係る二重殺菌機能を持つ冷温水機を詳細に説明することにする。
【００１９】
図１は、本発明の実施形態に係る冷温水機の概略的な構成図であり、図２は図１の「イ」の部分拡大図であり、図３は、本発明に係るエア遮断部材を底部から見た拡大図であり、図４は、図２の「Ａ−Ａ」線の断面図である。
【００２０】
図１〜図４に示すように、冷温水機（２００）の本体上部に水タンク（１００）を結合して水タンク（１００）からガイド（２１０）を介して冷水タンク（２２０）に出水される水が一時貯蔵され、冷媒を圧縮するコンプレッサーによって冷水が生成される。
【００２１】
冷水タンク（２２０）に格納されている水が溢れないように冷水タンク（２２０）の内部にボールタップ部材（４００）を設置して冷水タンク（２２０）に流入された水が、任意の水位に達すると、ボールタップ部材（４００）が上昇してガイド（２１０）の中央部に形成された第１出水通路（２１２）を防いで冷水タンク（２２０）に流入される水を遮断する。
【００２２】
上記冷水タンク（２２０）に貯蔵された水は、流出管を通って温水タンク（２３０）に一時貯蔵されて、ヒーターによって温水が生成され、ユーザーはこのように生成された冷水、温水をコックバルブ（５００）を作動して出水される飲用水を飲む。
【００２３】
上記ガイド（２１０）は円筒形で、中央部には、水タンク（１００）から冷水タンク（２２０）に出水されるように縦方向に第１出水通路（２１２）が形成され、上記第１出水通路（２１２）の一側には、第２出水通路（２１３）を縦方向に形成して水タンク（１００）内の水が殺菌部材（３００）の方向に出水されるようにして、上記第１出水通路（２１２）の他側には、縦方向に形成されて殺菌部材（３００）で殺菌された水が循環して水タンク（１００）の内部に流入するように入水通路（２１４）が形成される。
【００２４】
また、前記第１，２出水通路（２１２）（２１３）と入水通路（２１４）を包み込む端部にエア通路（２１１）が形成されて空気が水タンク（１００）内に流入されるようにする。
【００２５】
ここで、上記エア通路（２１１）は、図３に図示されたように、リング状に形成されることを原則とするが、多数の他の形状にも変更することもできる。
【００２６】
上記水タンク（１００）でガイド（２１０）の第２出水通路（２１３）を介して出水される水が殺菌部材（３００）の内部に流入、通過しながら殺菌された水は、ガイド（２１０）の入水通路（２１４）を通じて水タンク（１００）に再還元されるように、前記ガイド（２１０）の第２出水通路（２１３）と入水通路（２１４）に第１誘導管（７００）の端部をそれぞれ連結する。
【００２７】
このように水タンク（１００）に貯蔵された水は、第１誘導管（７００）を介して殺菌部材（３００）を通過して循環しながら１次的に水タンク（１００）内の水を殺菌する。
【００２８】
上記冷水タンク（２２０）には、温水タンク（２３０）に水が流出される流出管と、殺菌部材（３００）に出水される出水管（８１０）と、殺菌部材（３００）に出水された水が流入される流入管（８２０）に設けられ、１次的に殺菌された水タンク（１００）水は冷水タンク（２２０）に流入され、前記冷水タンク（２２０）に貯蔵された水は、出水管（８１０）を介して殺菌部材（３００）の内部に流入、通過しながら２次除菌され、２次殺菌された水は、冷水タンク（２２０）の流入管（８２０）を介して再び還元されるようにする。
【００２９】
ここで、冷水タンク（２２０）の出水管（８１０）と流入管（８２０）をあわせて第２誘導管（８００）といい、水タンク（１００）の出水管（７１０）と流入管（７２０）をあわせて第１誘導管（７００）という。
【００３０】
上記第１誘導管（７００）と第２誘導管（８００）の所定の位置に中間バルブ（６１０）とタイマー（６２０）と循環ポンプ（６３０）を設置して、任意に設定された時間に任意に設定さ流水量を独立して水タンク（１００）と冷水タンク（２２０）にそれぞれ循環されるようにする。
【００３１】
つまり、言い換えれば、水タンク（１００）内に貯蔵された水または冷水タンク（２２０）に貯蔵された水の量に従って独立的に第１、２誘導管（７００）（８００）を介して流水量を調節することができるだけでなく、循環速度も調節ことができるものである。
【００３２】
一方、図５〜図６に示すように、前記ボールタップ部材（４００）と所定距離を置いてエア遮断部材（９００）を連結棒（４１０）で連結して冷水タンク（２２０）の貯蔵された水位に従って前記ボールタップ部材の上下移動にエア遮断部材（９００）も一緒に上下に移動しながらガイド（２１０）に形成されたエア通路（２１１）が開閉される。
【００３３】
上記殺菌部材（３００）は、ステンレス材質からなるハウジング（３１０）と、上記ハウジング（３１０）内に設置された殺菌ランプ（３２０）で構成され、上記殺菌部材（３００）は、冷温水機（２００）の本体内部の所定の位置に内に設置されている。
【００３４】
上記殺菌部材（３００）の内部に位置する第１、２誘導管（７００）（８００）は、殺菌用ランプ（３２０）を包み込む螺旋形で成り立つ殺菌部材（３００）内を通過する時間を最大化することで、殺菌効果を最大化することができるようになる。
【００３５】
また、上記殺菌部材（３００）内に設置されている殺菌用ランプ（３２０）は、オゾン殺菌ランプまたはＵＶ殺菌ランプで用意されることもある。
【００３６】
このような構成された本発明は、冷温水機のみに限定するものではなく、浄水器にも適用することができる。
【００３７】
上記の本発明は、殺菌用ランプ（３２０）に冷水タンク（２２０）と水タンク（１００）をそれぞれ独立的に循環殺菌するので、ユーザーが清潔で衛生的な飲料水を摂取することができ、殺菌部材（３００）の内部に設置された第１、２誘導管（７００）（８００）を螺旋形にそれぞれ具備して紫外線を浴びる時間を最大限に増やすことにより、殺菌力を高めることができ、水タンク（１００）から出水される水が冷水タンク（２２０）に所定水位に達すると、ボールタップ部材（４００）とエア遮断部材（９００）が同時に動作してエア通路（２１１）及び第１出水通路（２１２）を同時に遮断することで、冷水タンク（２２０）に流入される水が溢れないように安全に遮断する効果があるといえる。
【００３８】
また、水タンク（１００）と冷水タンク（２２０）にそれぞれ接続された第１誘導管（７００）と第２誘導管（８００）の任意の位置にタイマー（６２０）と循環ポンプ（６３０）および中間バルブ（６１０）を設置することで、それぞれ独立して殺菌時間と流量速度を調整することができる効果がある有益な発明である。
【００３９】
以上で、本発明の望ましい実施例について説明したが、本発明は、上述した特定の実施例に限定されない。つまり、本発明が属する技術分野で通常の知識を有する者であれば、添付された特許請求の範囲の思想及び範疇を逸脱することなく、本発明の多数の変更および修正が可能であり、そのようなすべての適切な変更および修正の均等物も、本発明の範囲に属するものとみなされるべきである。
【符号の説明】
【００４０】
１００：水タンク            ２００：冷温水機
２１０：ガイド              ２１１：エア通路
２１２：第１出水通路        ２１３：第２出水通路
２１４：入水通路            ２２０：冷水タンク
２３０：温水タンク            ３００：殺菌部材
３１０：ハウジング            ３２０：殺菌ランプ
４００：ボールタップ部材      ４１０：連結棒
５００：コックバルブ          ６１０：中間バルブ
６２０：タイマー              ６３０：循環ポンプ
７００：第１誘導管            ７１０：出水管
７２０：流入管                ８００：第２誘導管
８１０：出水管                ８２０：流入管
９００：エア遮断部材
【図１】
2017109793.tif 000003
【図２】
2017109793.tif 000004
【図３】
2017109793.tif 000005
【図４】
2017109793.tif 000006
【図５】
2017109793.tif 000007
【図６】
2017109793.tif 000008